(57)【要約】【課題】  ホームページ等の文章ファイルの全体の印象（トーン）を特徴付ける複数の要因に対して、個別に作業することなく、同時に、かつ簡単に、調和のとれた文章ファイルの作成が可能である文章編集方法、文章編集方法を実行するプログラム、及び文章編集システムを提供する。【解決手段】ユーザからの印象（トーン）の入力を受信し、文章ファイルのスタイルに関するスタイルトーンと、文章ファイルに含まれるベクタ画像に対するベクタトーンと、文章ファイルに含まれるラスタ画像に関するラスタトーンとをパラメータ化する。そして、スタイル調整装置が、ユーザからのトーンの入力に応答して、スタイルトーンと、ベクタトーンと、ラスタトーンとを調整し、表示装置が、調整されたベクタ画像とラスタ画像とを含み、かつ調整されたスタイルにより変更された文章ファイルを表示する。【選択図】        図１
2006113910.tif 000002
【特許請求の範囲】
【請求項１】
コンピュータを用いて、ラスタ画像及びベクタ画像を含む文章ファイルの全体の印象を調整するための方法であって、
トーン入力装置が、ユーザからのトーンの入力を受信するステップと、
パラメータ変換装置が、前記文章ファイルのスタイルに関するスタイルトーンと、前記文章ファイルに含まれるベクタ画像に対するベクタトーンと、前記文章ファイルに含まれるラスタ画像に関するラスタトーンとをそれぞれパラメータ化するステップと、
スタイル調整装置が、前記ユーザからのトーンの入力に応答して、前記パラメータ化したスタイルトーンを調整することで、前記文章ファイルのスタイルを調整するステップと、
ベクタ画像調整装置が、前記ユーザからのトーンの入力に応答して、前記パラメータ化したベクタトーンを調整することで、前記文章ファイルに含まれた前記ベクタ画像を調整するステップと、
ラスタ画像調整装置が、前記ユーザからのトーンの入力に応答して、前記パラメータ化したラスタトーンを調整することで、前記文章ファイルに含まれた前記ラスタ画像を調整するステップと、
表示装置が、調整されたベクタ画像とラスタ画像とを含み、かつ調整されたスタイルにより変更された文章ファイルを表示するステップと、
を含む、文章編集方法。
【請求項２】
前記トーン入力装置、前記パラメータ変換装置、前記スタイル調整装置、前記ベクタ画像調整装置、前記ラスタ画像調整装置、前記表示装置が実行する各ステップは、いずれも前記コンピュータにより実現される請求項１に記載の文章編集方法。
【請求項３】
前記トーン入力装置が、ユーザからのトーンの入力を受信するステップにおいて、
前記ユーザからのトーンの入力が、複数のテーマの中から、一のテーマを選択することによりトーンの入力が行われ、この入力を受信する請求項１に記載の文章編集方法。
【請求項４】
前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するステップ以降のステップを行う請求項３に記載の文章編集方法。
【請求項５】
前記文章ファイルのスタイルとは、前記文章ファイルのレイアウト、色調、フォント、余白に関する設定である請求項１に記載の文章編集方法。
【請求項６】
前記スタイル調整装置が前記文章ファイルのスタイルを調整するステップにおいて、
前記スタイルの調整とは、ＣＳＳ（Cascading  Style  Sheet）を調整することにより行なわれる請求項５に記載の文章編集方法。
【請求項７】
前記ベクタ画像調整装置が、前記文章ファイルに含まれた前記ベクタ画像を調整するステップにおいて、
前記ベクタ画像調整装置が、前記ベクタ画像として保存された特殊効果文字を、前記ユーザからのトーンの入力に応答して、調整する請求項１に記載の文章編集方法。
【請求項８】
ラスタ画像調整装置が、前記文章ファイルに含まれた前記ラスタ画像を調整するステップにおいて、
前記ラスタ画像調整装置が、前記ユーザからのトーンの入力に応答して、前記ラスタ画像の色調を調整する請求項１に記載の文章編集方法。
【請求項９】
コンピュータを用いて、ラスタ画像及びベクタ画像を含む文章ファイルの全体の印象を調整するための方法を前記コンピュータにて実行可能なプログラムであって、
トーン入力装置が、ユーザからのトーンの入力を受信するステップと、
パラメータ変換装置が、前記文章ファイルのスタイルに関するスタイルトーンと、前記文章ファイルに含まれるベクタ画像に対するベクタトーンと、前記文章ファイルに含まれるラスタ画像に関するラスタトーンとをそれぞれパラメータ化するステップと、
スタイル調整装置が、前記ユーザからのトーンの入力に応答して、前記パラメータ化したスタイルトーンを調整することで、前記文章ファイルのスタイルを調整するステップと、
ベクタ画像調整装置が、前記ユーザからのトーンの入力に応答して、前記パラメータ化したベクタトーンを調整することで、前記文章ファイルに含まれた前記ベクタ画像を調整するステップと、
ラスタ画像調整装置が、前記ユーザからのトーンの入力に応答して、前記パラメータ化したラスタトーンを調整することで、前記文章ファイルに含まれた前記ラスタ画像を調整するステップと、
表示装置が、調整されたベクタ画像とラスタ画像とを含み、かつ調整されたスタイルにより変更された文章ファイルを表示するステップと、
を含む、文章編集方法を実行可能なプログラム。
【請求項１０】
前記トーン入力装置、前記パラメータ変換装置、前記スタイル調整装置、前記ベクタ画像調整装置、前記ラスタ画像調整装置、前記表示装置が実行する各ステップは、いずれも前記コンピュータにより実現される請求項９に記載のプログラム。
【請求項１１】
前記トーン入力装置が、ユーザからのトーンの入力を受信するステップにおいて、
前記ユーザからのトーンの入力が、複数のテーマの中から、一のテーマを選択することによりトーンの入力が行われ、この入力を受信する請求項９に記載のプログラム。
【請求項１２】
前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するステップ以降のステップを行う請求項１１に記載のプログラム。
【請求項１３】
前記文章ファイルのスタイルとは、前記文章ファイルのレイアウト、色調、フォント、余白に関する設定である請求項９に記載のプログラム。
【請求項１４】
前記スタイル調整装置が前記文章ファイルのスタイルを調整するステップにおいて、
前記スタイルの調整とは、ＣＳＳ（Cascading  Style  Sheet）を調整することにより行なわれる請求項１３に記載のプログラム。
【請求項１５】
前記ベクタ画像調整装置が、前記文章ファイルに含まれた前記ベクタ画像を調整するステップにおいて、
前記ベクタ画像調整装置が、前記ベクタ画像として保存された特殊効果文字を、前記ユーザからのトーンの入力に応答して、調整する請求項９に記載のプログラム。
【請求項１６】
ラスタ画像調整装置が、前記文章ファイルに含まれた前記ラスタ画像を調整するステップにおいて、
前記ラスタ画像調整装置が、前記ユーザからのトーンの入力に応答して、前記ラスタ画像の色調を調整する請求項９に記載のプログラム。
【請求項１７】
請求項９に記載のプログラムを記録した記録媒体。
【請求項１８】
ラスタ画像及びベクタ画像を含む文章ファイルの全体の印象を調整するためのコンピュータ・システムであって、
ユーザからのトーンの入力を受信するトーン入力装置と、
前記文章ファイルのスタイルに関するスタイルトーンと、前記文章ファイルに含まれるベクタ画像に対するベクタトーンと、前記文章ファイルに含まれるラスタ画像に関するラスタトーンとをパラメータ化するパラメータ変換装置と、
前記ユーザからのトーンの入力に応答して、前記パラメータ化したスタイルトーンを調整することで、前記文章ファイルのスタイルを調整するスタイル調整装置と、
前記ユーザからのトーンの入力に応答して、前記パラメータ化したベクタトーンを調整することで、前記文章ファイルに含まれた前記ベクタ画像を調整するベクタ画像調整装置と、
前記ユーザからのトーンの入力に応答して、前記パラメータ化したラスタトーンを調整することで、前記文章ファイルに含まれた前記ラスタ画像を調整するラスタ画像調整装置と、
調整されたベクタ画像とラスタ画像とを含み、かつ調整されたスタイルにより変更された文章ファイルを表示する表示装置と、
を含む、コンピュータ・システム。
【請求項１９】
前記ユーザからのトーンの入力が、複数のテーマの中から、一のテーマを選択することにより行われ、前記トーン入力装置が、この入力を受信する請求項１８に記載のコンピュータ・システム。
【請求項２０】
前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するトーン入力装置を含む請求項１９に記載のコンピュータ・システム。
【請求項２１】
前記文章ファイルのスタイルとは、前記文章ファイルのレイアウト、色調、フォント、余白に関する設定である請求項１８に記載のコンピュータ・システム。
【請求項２２】
前記スタイル調整装置が、ＣＳＳ（Cascading  Style  Sheet）を調整する請求項２１に記載のコンピュータ・システム。
【請求項２３】
前記ベクタ画像調整装置が、前記ベクタ画像として保存された特殊効果文字を、前記ユーザからのトーンの入力に応答して、調整する請求項１８に記載のコンピュータ・システム。
【請求項２４】
前記ラスタ画像調整装置が、前記ユーザからのトーンの入力に応答して、前記ラスタ画像の色調を調整する請求項１８に記載のコンピュータ・システム。
【請求項２５】
ラスタ画像及びベクタ画像を含む文章ファイルの全体の印象を調整するための文章編集システムであって、
ユーザからのトーンの入力を受けるトーン入力装置を備えたクライアント端末と、
前記文章ファイルのスタイルに関するスタイルトーンと、前記文章ファイルに含まれるベクタ画像に対するベクタトーンと、前記文章ファイルに含まれるラスタ画像に関するラスタトーンとをパラメータ化するパラメータ変換装置、前記ユーザからのトーンの入力に応答して、前記パラメータ化したスタイルトーンを調整することで、前記文章ファイルのスタイルを調整するスタイル調整装置、前記ユーザからのトーンの入力に応答して、前記パラメータ化したベクタトーンを調整することで、前記文章ファイルに含まれた前記ベクタ画像を調整するベクタ画像調整装置、前記ユーザからのトーンの入力に応答して、前記パラメータ化したラスタトーンを調整することで、前記文章ファイルに含まれた前記ラスタ画像を調整するラスタ画像調整装置、及び、調整されたベクタ画像とラスタ画像とを含み、かつ調整されたスタイルにより変更された文章ファイルを表示する表示装置を備えた文章編集サーバと、を備え、
前記クライアント端末と前記文章編集サーバとが通信回線を介して接続された文章編集システム。
【請求項２６】
前記文章編集サーバのトーン入力装置が、前記ユーザからのトーンの入力が、複数のテーマの中から、一のテーマを選択することにより行われ、この入力を受信する請求項２５に記載の文章編集システム。
【請求項２７】
前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、前記文章編集サーバのトーン入力装置が、さらにユーザからのトーンの入力を受信した場合には、再度、トーンの入力を受信する請求項２６に記載の文章編集システム。
【請求項２８】
前記文章ファイルのスタイルとは、前記文章ファイルのレイアウト、色調、フォント、余白に関する設定である請求項２５に記載の文章編集システム。
【請求項２９】
前記文章編集サーバのスタイル調整装置が、ＣＳＳ（Cascading  Style  Sheet）を調整する請求項２５に記載の文章編集システム。
【請求項３０】
前記文章編集サーバのベクタ画像調整装置が、前記ベクタ画像として保存された特殊効果文字を、前記ユーザからのトーンの入力に応答して、調整する請求項２５に記載の文章編集システム。
【請求項３１】
前記文章編集サーバのラスタ画像調整装置が、前記ユーザからのトーンの入力に応答して、前記ラスタ画像の色調を調整する請求項２５に記載の文章編集システム。
【発明の詳細な説明】
【技術分野】
【０００１】
本発明は、例えば、文章編集方法、文章編集方法を実行するプログラム、及び文章編集システムに関する。さらに詳しくは、コンピュータに表示される文章の編集方法およびそのプログラム、または文章編集を行うためのシステムに関する。
【背景技術】
【０００２】
近年のインターネット技術の普及に伴い、個人的なホーム・ページを作成し、公開することが一般に行われている。また、インターネット等の公衆通信回線に接続することなく、プレゼンテーション・ソフト等を使用してファイル、文章、レポートが作成され、家庭において、または業務において作成された文章ファイルが使用されている。
【０００３】
一般には、ホーム・ページや文章ファイル（以下「文章ファイル」）は、複数種類のファイルで構成されていることが多い。例えば、文章ファイルとして、撮影した写真をホーム・ページに掲載する場合では、ホーム・ページのファイルと、デジタルカメラ等で撮影した画像ファイルと、この画像ファイルを説明する特殊効果文字のための画像ファイルとの３種類のファイルにより構成される。
【０００４】
このような、ホーム・ページや文章ファイル（以下「文章ファイル」）のための作成支援ソフトウェアが製品として販売され、多くのユーザに使用されている。しかしながら、文章ファイルの全体のデザインを編集する場合には、作成者に対して、ある程度の専門的な知識を要求するものが多い。
【０００５】
例えば、文章ファイルのデザインにおいて、全体の印象（以下適宜、「トーン」）を決める要因としては、「文章ファイルの全体もしくは部分のレイアウト」、「文章ファイルの全体もしくは各コンテンツの色調」、「リンク（関連したファイルを表示することが可能であることを示した指標）の表示方法」、「使用するフォントの種類（使用するテキストのフォントに加え、図形的に表現した文字の種類を含む）」等が挙げられる。通常、ユーザは、デザインを変更するためには、これら４つの要因のいずれかを調整する。
【０００６】
しかしながら、これらの要因の調整を行なう際には、個々の要因に対して使用されるソフトウェアの使用方法や、文章ファイルを編集する方法のノウハウ（ホーム・ページであれば、ＨＴＭＬ（Hyper  Text  Markup  Language）のタグの指定など）を必要とするため、複数の専門知識が必要となる。
【０００７】
仮に、これらの個々の要因に対する調整方法を知っていたとしても、文章ファイルの調整を行なうには、各要因に対して個別に作業を行う必要がある。このため、ある要因に対して微調整を行い、他の要因に対して、この微調整に適した調整を行なった後に、さらに、全体の調和を考えた調整を行なう必要が生じてしまう。
【０００８】
例えば、ホーム・ページ全体の色調を変更するには、ＨＴＭＬのタグからホーム・ページ全体の色調を指定している場所を探して、どのように変更すればユーザが望む理想の色調になるかを想定して、適切な場所に適切な色調を指定する必要があり、このようなノウハウをユーザに要求する。
【０００９】
また、ホーム・ページの部分で使用している画像（例えば、Bitmap形式と呼ばれるラスタ画像）の色調を変更したい場合には、この画像の色調を変更する専用のソフトウェアを扱うことが可能でなくてはならない。このように、上述の４つの要因のいずれかを調整する際には、独立した個々の専門的知識を必要とする。
【００１０】
さらに、これらの調整する作業は、要因によって個別に行われるため、全ての要因に対して、同時に、調整を行うことはできない。つまり、ホーム・ページの部分で使用している画像の色調を明るく変更した後に、これに適したホーム・ページ全体の色調を明るく変更した場合には、前者の明るさの調整の程度と、後者の明るさの調整の程度とでは、微妙に異なる場合が多く、両者の間で、調整を何度も行なう必要が生じてしまう。
【００１１】
専門的な知識を必要とすることなく、ホーム・ページに対して全体の印象を変更する従来の方法としては、予めデザイナー等が作成したデザインのテンプレートを用いて変更する方法が知られている（例えば、特許文献１）。特許文献１では、ホーム・ページを作成するソフトウェアに、全体の印象を決めるスタイル（ソフト、シンプル、ナチュラル等さらにその下位概念）を設け、このスタイルを用いて、ユーザがホーム・ページの印象を選択することが記載されている。
【特許文献１】特開２００１−８４２１２号公報
【発明の開示】
【発明が解決しようとする課題】
【００１２】
しかしながら、特許文献１の方法は、予め用意されたテンプレートから、ユーザがホーム・ページ全体の印象に合ったテンプレートを選択することで、ホーム・ページを作成する方法であるため、ホーム・ページ全体が作成された状態で、全体の印象を変更させることはできない。つまり、ホーム・ページの部分となるコンテンツ（ホーム・ページ等に配置される画像や、フォント等）を配置し、レイアウトが完成した段階で、全体の印象（色調やフォント等）を調整することはできない。さらに、ホーム・ページの全体の印象を調整したときと同時に、このホーム・ページの部分となるコンテンツの印象をも変更することはできない。
【００１３】
通常、ユーザは、試験的に作成した文章ファイル（もしくは、一度作成した文章ファイル）に対して、全体の印象（トーン）を変更することを望む場合がある。つまり、同じコンテンツを用いていながらも、文章ファイルの全体のトーンを、微妙に調整すること（色調を明るくしたい、全体を和風のスタイルにしたい）を望む場合がある。
【００１４】
ユーザがこのような微妙な調整を行なうためには、上述のように、文章ファイルの元となるファイルの調整に加えて、文章ファイルの部分を構成する各コンテンツ（文章ファイルに配置される画像や、フォント等）にも、それぞれ同様に微妙な調整を行う必要が生じてしまう。
【００１５】
これを解決する他の方法として、文章ファイル全体を、画像（Bitmap形式と呼ばれるラスタ画像）として保存し、これを画像処理ソフトウェアにより、例えば色調や、明暗を調整する方法がある。しかし、この場合には、ファイル容量の大きなファイルを画像処理ソフトウェアにて扱う必要が生じてしまい、かつ、このように作成されたファイルは、画像ファイルであるため、文章ファイルとしての編集が不可能である。
【００１６】
本発明の目的は、文章ファイルの全体の印象（トーン）を特徴付ける複数の要因に対して、個別に作業することなく、同時に、かつ簡単に、調和のとれた文章ファイルの作成が可能である文章編集方法、文章編集方法を実行するプログラム、及び文章編集システムを提供することである。
【課題を解決するための手段】
【００１７】
そこで、本発明者は、上記課題を解決するために鋭意研究を重ねた結果、ラスタ画像及びベクタ画像を含む文章ファイルの全体の印象を調整するためのコンピュータ・システムであって、ユーザからのトーンの入力を受信するトーン入力装置と、前記文章ファイルのスタイルに関するスタイルトーンと、前記文章ファイルに含まれるベクタ画像に対するベクタトーンと、前記文章ファイルに含まれるラスタ画像に関するラスタトーンとをそれぞれパラメータ化するパラメータ変換装置と、前記ユーザからのトーンの入力に応答して、前記パラメータ化したスタイルトーンを調整することで、前記文章ファイルのスタイルを調整するスタイル調整装置と、前記ユーザからのトーンの入力に応答して、前記パラメータ化したベクタトーンを調整することで、前記文章ファイルに含まれた前記ベクタ画像を調整するベクタ画像調整装置と、前記ユーザからのトーンの入力に応答して、前記パラメータ化したラスタトーンを調整することで、前記文章ファイルに含まれた前記ラスタ画像を調整するラスタ画像調整装置と、調整されたベクタ画像とラスタ画像とを含み、かつ調整されたスタイルにより変更された文章ファイルを表示する表示装置と、を含む、コンピュータ・システムを提供する。
【００１８】
本発明によれば、トーン入力装置が、ユーザからのトーンの入力を受信し、パラメータ変換装置が、この文章ファイルのスタイルに関するスタイルトーンと、文章ファイルに含まれるベクタ画像に対するベクタトーンと、ラスタ画像に関するラスタトーンとをパラメータ化する。そして、スタイル調整装置が、ユーザからのトーンの入力に応答して、パラメータ変換装置によりパラメータ化したスタイルトーンを調整し、ベクタ画像調整装置が、パラメータ化したベクタトーンを調整し、ラスタ画像調整装置が、パラメータ化したラスタトーンを調整し、表示装置が、調整されたベクタ画像とラスタ画像とを含み、かつ調整されたスタイルにより変更された文章ファイルを表示する。
【００１９】
したがって、本発明によれば、文章ファイル全体の印象（トーン）を特徴付ける要因となる、文章ファイル全体の「スタイル」と、文章ファイルの「画像コンテンツ」として使用しているベクタ画像、ラスタ画像に対して、ユーザが意図する全体の印象に合わせて、これらの要因の調整を行なうことができる。すなわち、従来技術のように個々の要因（スタイル、コンテンツとなる画像）に対して個別の調整を行なうことなく、全体のトーンを、同時に変更することが可能となる。
【００２０】
さらに、本発明によれば、文章ファイルの全体が作成された状態で、全体の印象を変更させることが可能である。つまり、文章ファイルの部分となるコンテンツ（ホーム・ページ等に配置される画像や、フォント等）を配置し、レイアウトが完成した段階で、全体の印象（色調やフォント等）を調整することが可能となる。さらに、文章ファイル全体の印象を調整すると、同時に、この文章ファイルの部分となるコンテンツの印象をも調整することが可能となる。
【００２１】
加えて、本発明は、文章ファイル全体の印象を調整する際に、文章ファイル全体を、画像（Bitmap形式と呼ばれるラスタ画像）として保存し、これを画像処理ソフトウェアにより、例えば色調や、明暗を調整する方法とは異なるため、ファイル容量の大きなファイルを画像処理ソフトウェアにて扱う必要がない。
【００２２】
さらに具体的には、ユーザからテーマの選択によりトーンが入力され、スタイル調整装置、ベクタ画像変換装置、及びラスタ画像調整装置により前記文章ファイルが調整され、表示装置により、調整された文章ファイルが表示された後に、トーン入力装置が、さらにユーザからのトーンの入力を受信し、パラメータ変換装置が、この文章ファイルのスタイルに関するスタイルトーンと、文章ファイルに含まれるベクタ画像に対するベクタトーンと、ラスタ画像に関するラスタトーンとをパラメータ化する。そして、スタイル調整装置が、ユーザからのトーンの入力に応答して、パラメータ変換装置によりパラメータ化したスタイルトーンを調整し、ベクタ画像調整装置が、パラメータ化したベクタトーンを調整し、ラスタ画像調整装置が、パラメータ化したラスタトーンを調整し、表示装置が、調整されたベクタ画像とラスタ画像とを含み、かつ調整されたスタイルにより変更された文章ファイルを表示する。
【００２３】
したがって、ユーザは、文章ファイルに対して、全体の印象を変えたいときには、ユーザが想定する印象に類似したテーマを選択し、このテーマにより調整された文章ファイルに基づいて、トーンの微調整を行う。したがって、最初に、大まかなユーザの印象を表現するテーマを選択し、その後に、微調整を行うため、段階的に文章ファイルを調整することが可能である。したがって、ユーザは、簡便にかつ、迅速に文章ファイルの全体の印象の調整を行なうことが可能である。そのうえ、従来技術のように、テンプレート（予め設定されたトーン）を選択することの自由度しかなかった文章ファイルの調整ではなく、テーマを選択した後に、さらにユーザが調整することが可能であるため、結果として独創的なホーム・ページを作成することが可能となる。
【発明の効果】
【００２４】
したがって、本発明によれば、文章ファイル全体の印象（トーン）を特徴付ける要因となる、文章ファイル全体の「スタイル」と、文章ファイルの「画像コンテンツ」として使用しているベクタ画像、ラスタ画像に対して、ユーザが意図する全体の印象に合わせて、これらの要因の調整を行なうことができる。すなわち、従来技術のように個々の要因（スタイル、コンテンツとなる画像）に対して個別の調整を行なうことなく、全体のトーンを、同時に変更することが可能となる。
【００２５】
さらに、本発明によれば、文章ファイルの全体が作成された状態で、全体の印象を変更させることが可能である。つまり、文章ファイルの部分となるコンテンツ（ホーム・ページ等に配置される画像や、フォント等）を配置し、レイアウトが完成した段階で、全体の印象（色調やフォント等）を調整することが可能となる。さらに、文章ファイル全体の印象を調整すると、同時に、この文章ファイルの部分となるコンテンツの印象をも調整することが可能となる。
【００２６】
加えて、本発明は、文章ファイル全体の印象を調整する際に、文章ファイル全体を、画像（Bitmap形式と呼ばれるラスタ画像）として保存し、これを画像処理ソフトウェアにより、例えば色調や、明暗を調整する方法とは異なるため、ファイル容量の大きなファイルを画像処理ソフトウェアにて扱う必要がない。
【００２７】
なお、本発明は、上述のようなベクタ画像、ラスタ画像等の画像についてのトーン変更に加えて、ホーム・ページの印象を変更する対象として、音声、音楽を調整する、あるいは、静止画像のみならず、動画（ビデオ）画像についても調整を行うことが可能である。
【発明を実施するための最良の形態】
【００２８】
以下に、本発明の好適な実施形態を図面に基づいて説明する。
【００２９】
図１に示すように、コンピュータ・システム１は、ユーザからのトーンの入力を受けるトーン入力装置１１と、文章ファイルをパラメータ化するパラメータ変換装置１０と、文章ファイルを調整するスタイル調整装置１２と、ベクタ画像調整装置１３と、ラスタ画像調整装置１４と、文章ファイルを表示する表示装置１５とを備えている。
【００３０】
トーン入力装置１１は、ユーザからのトーンの入力を受ける装置である。トーン入力装置１１は、例えば、キーボードやマウス等の入力装置であって、ユーザが行うパラメータの調整や、テーマの選択によりトーンの調整を行なうための手段である。
【００３１】
パラメータ変換装置１０は、トーンに基づいて文章ファイルをパラメータ化するための装置である。パラメータ変換装置１０は、文章ファイルのスタイルに関するスタイルトーンと、文章ファイルに含まれるベクタ画像に対するベクタトーンと、文章ファイルに含まれるラスタ画像に関するラスタトーンとをパラメータ化する手段である。
【００３２】
スタイル調整装置１２は、スタイルトーンを調整するための装置である。スタイル調整装置１２は、文章ファイルのスタイル（例えば、文章ファイル全体のレイアウト、使用しているフォントの種類、フォントの大きさ、余白の広さ、背景の色調等）の調整を、ユーザからのトーンの入力に応答して行う手段である。この調整には、スタイルに関するトーンについてパラメータ化したスタイルトーンが、調整の指標として用いられる。
【００３３】
ベクタ画像調整装置１３は、ベクタ画像を調整するための装置である。ベクタ画像調整装置１３は、文章ファイル中のベクタ画像（直線、円などの幾何学的な図形要素によってグラフィックスイメージが構成された画像）の調整を、ユーザからのトーンの入力に応答して行う手段である。この調整には、ベクタ画像に関するトーンについてパラメータ化したベクタトーンが、調整の指標として用いられる。
【００３４】
ラスタ画像調整装置１４は、ラスタ画像を調整するための装置である。ラスタ画像調整装置１４は、文章ファイル中のラスタ画像（点の羅列によってグラフィックスイメージが構成された画像）の調整を、ユーザからのトーンの入力に応答して行う手段である。この調整には、ラスタ画像に関するトーンについてパラメータ化したラスタトーンが、調整の指標として用いられる。
【００３５】
表示装置１５は、ＣＲＴディスプレイや液晶ディスプレイ等の表示装置である。表示装置１５は、スタイル調整装置１２、ベクタ画像調整装置１３、ラスタ画像調整装置１４により調整されたスタイルや画像が、表示される。ユーザは、表示装置１５に表示された文章ファイルを視認して、ホーム・ページがどのような印象であるか、調整によって印象通りのホーム・ページが作成できたか等を検討して、場合によっては、トーン入力装置１１への入力を行う。
【００３６】
次に、コンピュータ・システム１が実行する具体的な動作を、図２のフローチャートを用いて説明する。
【００３７】
トーン入力装置１１は、ユーザからのトーンの調整を受け（Ｓ０１）、トーンの調整に関する入力を受信する（Ｓ０２）。次に、パラメータ変換装置１０が、トーンに基づいて文章ファイルの各構成要素をパラメータ化する（Ｓ０３）。入力を受けたトーンの調整は、スタイルトーンの調整であるか判断し（Ｓ０４）、このような場合には、文章ファイルのスタイルに関するスタイルトーンの調整を行なう（Ｓ０５）。入力を受けたトーンの調整は、ベクタトーンの調整であるか判断し（Ｓ０６）、このような場合には、ベクタ画像に対するベクタトーンの調整を行なう（Ｓ０７）。入力を受けたトーンの調整は、ラスタトーンの調整であるか判断し（Ｓ０８）、このような場合には、ラスタ画像に対するラスタトーンの調整を行なう（Ｓ０９）。このように、調整された文章ファイルが、表示装置１５に表示される（Ｓ１０）。
【００３８】
そして、ステップＳ１０の終了後に、再度、ユーザがトーンの調整を行った場合には、ステップＳ０２からＳ１０のステップが繰り返される。
【００３９】
次に、ステップＳ０３に至るまでの、さらに具体的なステップについて説明する。
【００４０】
トーン入力装置１１は、ユーザがテーマを選択することによりトーンを調整する（Ｓ１１）。トーンの調整に関する入力を受信する（Ｓ１２）。次に、パラメータ変換装置１０が、文章ファイルの各構成要素をパラメータ化する（Ｓ０３）。ステップＳ１１のテーマの選択にしたがって、スタイル調整装置１２がパラメータ化したスタイルトーンを調整し、ベクタ画像調整装置１３がパラメータ化したベクタトーンを調整し、ラスタ画像調整装置１４がパラメータ化したラスタトーンを調整する（Ｓ１４）。表示装置１５に、調整された文章ファイルが表示される（Ｓ１５）。ユーザがテーマを選択しても、未だ全体の印象の調整が必要である場合には、再度、ユーザがトーンの入力を行う（Ｓ１６）。トーン入力装置１１は、このトーンの微調整に関する入力を受信する（Ｓ１７）。この後の調整は、図３の「Ａ」から図２の「Ａ」へ接続し、ステップＳ０３以降のステップが行われる。
【００４１】
上述の各ステップには、次のステップを含んでもよい。例えば、スタイルトーン、ベクタトーン、ラスタトーンを調整する際に、この調整を阻害する要因を除去するステップや、調整対象となるパラメータを実際の文章ファイルに反映するステップを含んでもよい。
【００４２】
「パラメータ化」とは、文章ファイルのトーンに対して、このトーン（印象）を数値評価することである。例えば、ＲＧＢ（Ｒｅｄ−Ｇｒｅｅｎ−Ｂｌｕｅ）値（３原色の混ぜ具合）により、色調を数値評価することが可能であり、このことを「色調のトーンをパラメータ化する」とする。また、「パラメータ化したトーン」とは、数値評価されたトーンのことである。色調以外のトーンであっても、文章ファイル全体の明るさである明暗度や、文章ファイルにて使用するフォントの大きさ又は種類、文章ファイルの余白の大きさ等が数値評価されることを、「各トーンをパラメータ化する」、とする。
【００４３】
ここでトーンとは、抽象的な概念を含むとする。例えば、「暖かいトーン」や「涼しいトーン」といったトーンである。これらのトーンに対しても、色調やフォント等を変換することにより印象を調整することができる。
【００４４】
ユーザのトーンの調整について、図４を用いて説明する。ここでは、ユーザが複数のテーマの中から一のテーマを選択することにより、トーンを調整する実施例について説明する。図４に示されるオートスタイリッシュデザイナーの設定画面が、表示装置１５に表示される。ここでは、文章ファイル４７のテーマと、レイアウトとを変更することで、全体の印象を調整することが可能であり、テーマ等を変更した文章ファイル４７は、プレビューにて、ユーザが視認できる。
【００４５】
文章ファイル４７は、ベクタ画像４５と、ラスタ画像４３と、通常のテキスト文字とから構成される。さらに、これらの各コンテンツのレイアウトや、背景やリンクメニュー４４の色調等が、スタイルとして文章ファイルの全体の印象を特徴付ける。
【００４６】
ベクタ画像４５は、直線や点、円などの幾何学的な図形要素によって構成された特殊効果文字であって、“Ｗｅｌｃｏｍｅ  ｔｏ  Ｍｙ  Ｈｏｍｅｐａｇｅ”としたフォントを基に描かれたドロー画像である。
【００４７】
ベクタトーンは、文章ファイル全体のトーンの内で、上述のベクタ画像に関する部分である。例えば、ベクタトーンは、ベクタ画像の色調、明暗度、特殊効果文字のフォントタイプ等のトーンである。
【００４８】
ラスタ画像４３は、点の集まりとして表現された画像であって、ここでは、犬の画像が表現された画像である。例えば、Bitmap形式と呼ばれるラスタ画像では、デジタルカメラで撮影された写真の画像等であってもよい。
【００４９】
ラスタトーンは、文章ファイル全体のトーンの内で、上述のラスタ画像に関する部分である。例えば、ラスタトーンは、ラスタ画像の色調、明暗度等のトーンである。
【００５０】
スタイルとは、文章ファイル４７において、例えば、全体の背景の色調又は模様、リンク４４の色調又は模様又は大きさ又はリンクの表示の種類（例えば、メニュー１の下に下線を引く等）、ヘッダー部分４０とフッター部分４７との色調又は模様又は大きさ、使用するテキスト文字の種類又は大きさ又は色調、全体のレイアウト、各コンテンツ（ラスタ画像、ベクタ画像、テキスト文字）間の余白等である。
【００５１】
スタイルトーンは、文章ファイル全体のトーンの内で、上述のスタイルに関する部分である。例えば、スタイルトーンは、文章ファイルの背景の色調、明暗度等のトーンである。
【００５２】
スタイルの設定は、ＨＴＭＬのタグを変更する、又はＣａｓｃａｄｉｎｇ  Ｓｔｙｌｅ  Ｓｈｅｅｔ（以下「スタイルシート」）を変更することにより行われる。例えば、レイアウトの変更は、ＨＴＭＬのタグの設定において、テーブルの配置を変更することにより行われる。スタイルシートは、ＨＴＭＬファイルに含まれていてもよいし、スタイルシート用のファイルにより、ＨＴＭＬファイルとは別に管理されていてもよい。
【００５３】
テーマとは、所定の色調、模様、特殊効果文字等のトーンが予め選択され、一のセットとして文章ファイルの印象を演出するトーン群である。例えば、テーマとしては、図４に示すように、「クリア」、「ロマンチック」、「カジュアル」、「エレガント」、「モダン」、「クラシック」、「ゴージャス」、「和風」等が、テンプレートとして記憶されている。
【００５４】
これらの個々のテーマに対して、詳細のテーマが設定されていてもよい。詳細なテーマとは、図４であれば、選択された「ゴージャス」のテーマに対して、ゴージャスでかつシルクロードのような印象を出すための「シルクロード」、ゴージャスでかつオリエンタルの印象を出すための「オリエンタル」、ゴージャスでかつアールヌーボーのような印象を出すための「アールヌーボー」である。
【００５５】
図４では、テーマとして、「ゴージャス」の「アールヌーボー」を選択したときの、プレビューが表示されている。ここで一例として挙げた、「アールヌーボー」とは、ミッシャの絵画をイメージしているため、全体の色調は、茶色を基調としており、使用されるフォントは、やや繊細で高貴なイメージのものが選ばれる。
【００５６】
図４において、色調４０から色調４４までは、例えば、それぞれ次のような色調である。色調４０は、ダーク・レッド(dark-red)色であり、＃ｃｃ００００で指定される色調である。色調４１と色調４４は、鮭肉色（salmon）であり、＃ｆｆ９９６６で指定される色調である。色調４２は、ベージュ(beige)色であり、＃ｆｆｃｃｃｃで指定される色調である。色調４３は、ダークカーキ色(dark-khaki)であり、＃ｃｃ６６６６で指定される色調である。
【００５７】
上述の＃ｃｃ００００等の、＃ｘｘｘｘｘｘとは、色調のための符号であり、ＨＴＭＬのタグやスタイルシートで指定されるＲＧＢ値である。
【００５８】
このように、文章ファイル全体の印象（トーン）として、「ゴージャス」、「アールヌーボー」のテーマを選択することで、スタイル調整装置１２が文章ファイル４７のスタイルの色調を上述のように調整し、かつ、文章ファイル４７中のテキスト文字のフォントを、アールヌーボー風のイメージに調整する。さらに、ベクタ画像調整装置１３が、ベクタ画像４５をアールヌーボー風のイメージ（繊細で高貴なイメージ）に調整する。加えて、ラスタ画像調整装置１４が、ラスタ画像４３に対して、色調をダークカーキ色に調整する。
【００５９】
図５は、図４のアールヌーボー風との比較のために、「和風」のテーマについてのトーンの調整を示している。ここでは、詳細なテーマとして「和風」でかつ「歌舞伎」のような印象（トーン）である「歌舞伎」、「和風」でかつ江戸のような印象（トーン）である「江戸」、和風でかつ日本庭園のような印象（トーン）である「日本庭園」が設定されている。
【００６０】
図５において、色調５０から色調５４までは、例えば、それぞれ次のような色調である。色調５０は、ティール・ブルー(teal)色であり、＃００６６９９で指定される色調である。色調５１は、若草色（bright-green）であり、＃ｂｅｄ７４２で指定される色調である。色調５２は、カーキ色(khaki)であり、＃ｃｃｃｃ３３で指定される色調である。色調５３は、チョコレート色(chocolate)であり、＃ｃｃ６６３３で指定される色調である。色調５４は、藍(Navy)色であり、＃００００８０で指定される色調である。
【００６１】
図５において、「和風」でかつ「江戸」のような印象（トーン）であるために、色調は「藍色」を基調にして、ベクタ画像５５や、テキスト文字として使用されている文字を、江戸風の文字にしている。
【００６２】
このように、文章ファイル全体の印象（トーン）として、「和風」、「江戸」のテーマを選択することで、スタイル調整装置１２が文章ファイル４７のスタイルの色調を上述のように調整し、かつ、文章ファイル４７中のテキスト文字のフォントを、江戸風のイメージに調整する。さらに、ベクタ画像調整装置１３が、ベクタ画像４５を江戸風のイメージ（歌舞伎に使用されるような江戸風のフォントのイメージ）に調整する。加えて、ラスタ画像調整装置１４が、ラスタ画像４３に対して、色調をチョコレート色に調整する。
【００６３】
上述のように、テーマの選択により、文章ファイルの印象（トーン）を調整することは可能であるが、テーマの選択を行なうことなくトーンの調整を行なうことが可能である。また、上述のようにテーマを選択することにより、トーンの調整を行なった後に、以下で述べるような、数値的にトーンの調整（微調整）を行なうことが可能であってもよい。
【００６４】
図６では、文章ファイルの「明るさ」を調整することで、トーンを調整することが示されている。調整項目は、「明るさ」であり、調整パネルの「文字の明るさ」と「背景の明るさ」を調整することにより、文章ファイルで使用されている文字の「明るさ」もしくは、文章ファイルの背景の「明るさ」が調整される。ここでは、文字の明るさを、０から５０にすることで、文字の明るさが５０％増になっている。さらに、文章ファイルの背景の明るさを、０から６０にすることで、背景の明るさが６０％増になっている。
【００６５】
図６に示されるように、文章ファイル全体の印象（トーン）の、「明るさ」を調整することで、スタイル調整装置１２が文章ファイルの背景の明るさを上述のように調整し、かつ、文章ファイル中のテキスト文字のフォントの明るさを調整する。さらに、ベクタ画像調整装置１３が、ベクタ画像４５の特殊効果文字の明るさを調整する。
【００６６】
図７では、一例として、文章ファイル全体の「色調」を調整することで、トーンを調整することが示されている。調整項目は、「色調」であり、調整パネルの「色合い」と「鮮やかさ」、「明るさ」、「コントラスト」を調整することにより、文章ファイル全体の「色調」が調整される。ここでは、「鮮やかさ」を、０から１００にすることで、文章ファイル全体が、鮮やか（色のコントラストが鮮明）になっている。
【００６７】
図７に示されるように、文章ファイル全体の印象（トーン）の、「色調」を調整することで、スタイル調整装置１２が文章ファイルの色調を上述のように調整する。さらに、ベクタ画像調整装置１３が、ベクタ画像４５の色調を鮮やかなトーンとなるように調整する。加えて、ラスタ画像調整装置１４が、ラスタ画像４３に対して、鮮やかなトーンとなるように色調を調整する。
【００６８】
上述の説明では、色調を鮮やかにすることを調整したが、文章ファイル全体の色調を、赤っぽくすることや、青っぽくすること等が、色合いの調整により可能であり、この場合においても、同様に、スタイル調整装置１２、ベクタ画像調整装置１３、ラスタ画像調整装置１４が、色調を調整する。
【００６９】
図８では、文章ファイル全体の「フォントサイズ」を調整することで、トーンを調整することが示されている。調整項目は、「フォントサイズ」であり、調整パネルの「フォントサイズのコントラスト」にて、見出し文字の大きさのコントラストを調整することができる。見出し文字とは、文章ファイルにおいて、タイトルもしくは、サブタイトルもしくは、サブタイトルのサブタイトル、となる階層を形成する文字である。
【００７０】
図８に示されるように、文章ファイル全体のフォントサイズを変更することが可能であり、「フォントサイズのコントラスト」の項目の、「大」、「小」、「オリジナル」、「カスタム」により、文字の大きさを調整できる。特に、「カスタム」では、見出し１から見出し６までのフォントの大きさと、標準テキスト文字の大きさを、オリジナルのサイズからの割合で調整することが可能である。
【００７１】
文章ファイル全体の印象（トーン）の、「フォントサイズ」を調整することで、スタイル調整装置１２が文章ファイルのフォントサイズを上述のように調整する。
【００７２】
図９では、一例として、文章ファイル全体の「見出しの余白」を調整することで、トーンを調整することが示されている。調整項目は、「余白」であり、調整パネルの「余白の割合」の「多」、「中」、「少」、「オリジナル」、「カスタム」により、各見出しの余白を調整できる。特に、「カスタム」では、見出し１から見出し６までの余白と、標準テキスト文字の余白とページ端と内部間の余白を、ピクセル値で調整することが可能である。
【００７３】
図９に示されるように、文章ファイルの、「余白」を調整することで、スタイル調整装置１２が文章ファイルの余白を上述のように調整する。
【００７４】
コンピュータ・システム１は、例えば、図１０に示すように、ＣＰＵ（Central  Processing  Unit）２０と、ホストコントローラ２１と、Ｉ／Ｏコントローラ２２と、ＲＡＭ（Random  Access  Memory）２３と、ＲＯＭ（Read  Only  Memory）２４と、ハードディスクドライブ２５と、ＤＶＤ／ＣＤ−ＲＯＭドライブ２６と、ＦＤドライブ２７と、ユーザからの入力を受けるマウス、キーボード等である入力装置２８と、音声コントローラ２９と、音声出力装置３２と、グラフィックコントローラ３０と表示装置３６と、を備えていてもよい。
【００７５】
本発明の他の実施例として、図１１にて示すように、文章編集システム１００として、クライアント端末１０１と、サーバ１０３と、これらを接続する通信回線ネットワーク１０２から構成され、実現されてもよい。
【００７６】
すなわち、クライアント端末１０１は、上述のコンピュータ・システム１であってよく、トーン入力装置１１と表示装置１５とが、備えられていてよい。文章編集サーバ１０３もコンピュータ・システム１であってよく、パラメータ変換装置１０と、スタイル調整装置１２と、ベクタ画像調整装置１３と、ラスタ画像調整装置１４と、を備えていてもよい。例えば、クライアント端末１０１からのトーンの調整に関する入力を受信し、通信回線ネットワーク１０２を介して、この入力されたトーンの情報を文章編集サーバ１０３に送信し、文章編集サーバ１０３が文章ファイルの調整を行ない、その結果をクライアント端末１０１に、通信回線ネットワーク１０２を介して送信し、クライアント端末１０１の表示装置１５に、調整された文章ファイルが表示されてもよい。
【００７７】
このような実施形態を実現するコンピュータ・システム、文章編集方法を、コンピュータやサーバにて実行するためのプログラムにより実現することができる。このプログラムのための記憶媒体としては、光学記憶媒体、テープ媒体、半導体メモリ等が挙げられる。また、専用通信ネットワークやインターネットに接続されたサーバ・システムに設けられたハードディスク又はＲＡＭ等の記憶装置を記憶媒体として使用し、ネットワークを介してプログラムを提供してもよい。
【００７８】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【００７９】
以上の実施形態によると、以下の各項目に示す文章編集方法、文章編集方法を実行するプログラム、及び文章編集システム、およびこの文章編集方法を実行するプログラムが実現される。
【００８０】
（１）  コンピュータを用いて、ラスタ画像及びベクタ画像を含む文章ファイルの全体の印象を調整するための方法であって、トーン入力装置が、ユーザからのトーンの入力を受信するステップと、パラメータ変換装置が、前記文章ファイルのスタイルに関するスタイルトーンと、前記文章ファイルに含まれるベクタ画像に対するベクタトーンと、前記文章ファイルに含まれるラスタ画像に関するラスタトーンとをそれぞれパラメータ化するステップと、スタイル調整装置が、前記ユーザからのトーンの入力に応答して、前記パラメータ化したスタイルトーンを調整することで、前記文章ファイルのスタイルを調整するステップと、ベクタ画像調整装置が、前記ユーザからのトーンの入力に応答して、前記パラメータ化したベクタトーンを調整することで、前記文章ファイルに含まれた前記ベクタ画像を調整するステップと、ラスタ画像調整装置が、前記ユーザからのトーンの入力に応答して、前記パラメータ化したラスタトーンを調整することで、前記文章ファイルに含まれた前記ラスタ画像を調整するステップと、表示装置が、調整されたベクタ画像とラスタ画像とを含み、かつ調整されたスタイルにより変更された文章ファイルを表示するステップと、を含む、文章編集方法。
【００８１】
（２）  前記トーン入力装置、前記パラメータ変換装置、前記スタイル調整装置、前記ベクタ画像調整装置、前記ラスタ画像調整装置、前記表示装置が実行する各ステップは、いずれも前記コンピュータにより実現される（１）に記載の文章編集方法。
【００８２】
（３）  前記トーン入力装置が、ユーザからのトーンの入力を受信するステップにおいて、前記ユーザからのトーンの入力が、複数のテーマの中から、一のテーマを選択することによりトーンの入力が行われ、この入力を受信する（１）に記載の文章編集方法。
【００８３】
（４）  前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するステップ以降のステップを行う（３）に記載の文章編集方法。
【００８４】
（５）  前記文章ファイルのスタイルとは、前記文章ファイルのレイアウト、色調、フォント、余白に関する設定である（１）に記載の文章編集方法。
【００８５】
（６）  前記スタイル調整装置が前記文章ファイルのスタイルを調整するステップにおいて、前記スタイルの調整とは、ＣＳＳ（Cascading  Style  Sheet）を調整することにより行なわれる（５）に記載の文章編集方法。
【００８６】
（７）  前記ベクタ画像調整装置が、前記文章ファイルに含まれた前記ベクタ画像を調整するステップにおいて、前記ベクタ画像調整装置が、前記ベクタ画像として保存された特殊効果文字を、前記ユーザからのトーンの入力に応答して、調整する（１）に記載の文章編集方法。
【００８７】
（８）  ラスタ画像調整装置が、前記文章ファイルに含まれた前記ラスタ画像を調整するステップにおいて、前記ラスタ画像調整装置が、前記ユーザからのトーンの入力に応答して、前記ラスタ画像の色調を調整する（１）に記載の文章編集方法。
【００８８】
（９）  コンピュータを用いて、ラスタ画像及びベクタ画像を含む文章ファイルの全体の印象を調整するための方法を前記コンピュータにて実行可能なプログラムであって、トーン入力装置が、ユーザからのトーンの入力を受信するステップと、パラメータ変換装置が、前記文章ファイルのスタイルに関するスタイルトーンと、前記文章ファイルに含まれるベクタ画像に対するベクタトーンと、前記文章ファイルに含まれるラスタ画像に関するラスタトーンとをそれぞれパラメータ化するステップと、スタイル調整装置が、前記ユーザからのトーンの入力に応答して、前記パラメータ化したスタイルトーンを調整することで、前記文章ファイルのスタイルを調整するステップと、ベクタ画像調整装置が、前記ユーザからのトーンの入力に応答して、前記パラメータ化したベクタトーンを調整することで、前記文章ファイルに含まれた前記ベクタ画像を調整するステップと、ラスタ画像調整装置が、前記ユーザからのトーンの入力に応答して、前記パラメータ化したラスタトーンを調整することで、前記文章ファイルに含まれた前記ラスタ画像を調整するステップと、表示装置が、調整されたベクタ画像とラスタ画像とを含み、かつ調整されたスタイルにより変更された文章ファイルを表示するステップと、を含む、文章編集方法を実行可能なプログラム。
【００８９】
（１０）  前記トーン入力装置、前記パラメータ変換装置、前記スタイル調整装置、前記ベクタ画像調整装置、前記ラスタ画像調整装置、前記表示装置が実行する各ステップは、いずれも前記コンピュータにより実現される（９）に記載のプログラム。
【００９０】
（１１）  前記トーン入力装置が、ユーザからのトーンの入力を受信するステップにおいて、前記ユーザからのトーンの入力が、複数のテーマの中から、一のテーマを選択することによりトーンの入力が行われ、この入力を受信する（９）に記載のプログラム。
【００９１】
（１２）  前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するステップ以降のステップを行う（１１）に記載のプログラム。
【００９２】
（１３）  前記文章ファイルのスタイルとは、前記文章ファイルのレイアウト、色調、フォント、余白に関する設定である（９）に記載のプログラム。
【００９３】
（１４）  前記スタイル調整装置が前記文章ファイルのスタイルを調整するステップにおいて、前記スタイルの調整とは、ＣＳＳ（Cascading  Style  Sheet）を調整することにより行なわれる（１３）に記載のプログラム。
【００９４】
（１５）  前記ベクタ画像調整装置が、前記文章ファイルに含まれた前記ベクタ画像を調整するステップにおいて、前記ベクタ画像調整装置が、前記ベクタ画像として保存された特殊効果文字を、前記ユーザからのトーンの入力に応答して、調整する請求項９に記載のプログラム。
【００９５】
（１６）  ラスタ画像調整装置が、前記文章ファイルに含まれた前記ラスタ画像を調整するステップにおいて、前記ラスタ画像調整装置が、前記ユーザからのトーンの入力に応答して、前記ラスタ画像の色調を調整する（９）に記載のプログラム。
【００９６】
（１７）  （９）に記載のプログラムを記録した記録媒体。
【００９７】
（１８）  ラスタ画像及びベクタ画像を含む文章ファイルの全体の印象を調整するためのコンピュータ・システムであって、ユーザからのトーンの入力を受信するトーン入力装置と、前記文章ファイルのスタイルに関するスタイルトーンと、前記文章ファイルに含まれるベクタ画像に対するベクタトーンと、前記文章ファイルに含まれるラスタ画像に関するラスタトーンとをパラメータ化するパラメータ変換装置と、前記ユーザからのトーンの入力に応答して、前記パラメータ化したスタイルトーンを調整することで、前記文章ファイルのスタイルを調整するスタイル調整装置と、前記ユーザからのトーンの入力に応答して、前記パラメータ化したベクタトーンを調整することで、前記文章ファイルに含まれた前記ベクタ画像を調整するベクタ画像調整装置と、前記ユーザからのトーンの入力に応答して、前記パラメータ化したラスタトーンを調整することで、前記文章ファイルに含まれた前記ラスタ画像を調整するラスタ画像調整装置と、調整されたベクタ画像とラスタ画像とを含み、かつ調整されたスタイルにより変更された文章ファイルを表示する表示装置と、を含む、コンピュータ・システム。
【００９８】
（１９）  前記ユーザからのトーンの入力が、複数のテーマの中から、一のテーマを選択することにより行われ、前記トーン入力装置が、この入力を受信する（１８）に記載のコンピュータ・システム。
【００９９】
（２０）  前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、さらにユーザからのトーンの入力を受信した場合には、再度、トーンの入力を受信するトーン入力装置を含む（１９）に記載のコンピュータ・システム。
【０１００】
（２１）  前記文章ファイルのスタイルとは、前記文章ファイルのレイアウト、色調、フォント、余白に関する設定である（１８）に記載のコンピュータ・システム。
【０１０１】
（２２）  前記スタイル調整装置が、ＣＳＳ（Cascading  Style  Sheet）を調整する（２１）に記載のコンピュータ・システム。
【０１０２】
（２３）  前記ベクタ画像調整装置が、前記ベクタ画像として保存された特殊効果文字を、前記ユーザからのトーンの入力に応答して、調整する（１８）に記載のコンピュータ・システム。
【０１０３】
（２４）  前記ラスタ画像調整装置が、前記ユーザからのトーンの入力に応答して、前記ラスタ画像の色調を調整する（１８）に記載のコンピュータ・システム。
【０１０４】
（２５）  ラスタ画像及びベクタ画像を含む文章ファイルの全体の印象を調整するための文章編集システムであって、ユーザからのトーンの入力を受けるトーン入力装置を備えたクライアント端末と、前記文章ファイルのスタイルに関するスタイルトーンと、前記文章ファイルに含まれるベクタ画像に対するベクタトーンと、前記文章ファイルに含まれるラスタ画像に関するラスタトーンとをパラメータ化するパラメータ変換装置、前記ユーザからのトーンの入力に応答して、前記パラメータ化したスタイルトーンを調整することで、前記文章ファイルのスタイルを調整するスタイル調整装置、前記ユーザからのトーンの入力に応答して、前記パラメータ化したベクタトーンを調整することで、前記文章ファイルに含まれた前記ベクタ画像を調整するベクタ画像調整装置、前記ユーザからのトーンの入力に応答して、前記パラメータ化したラスタトーンを調整することで、前記文章ファイルに含まれた前記ラスタ画像を調整するラスタ画像調整装置、及び、調整されたベクタ画像とラスタ画像とを含み、かつ調整されたスタイルにより変更された文章ファイルを表示する表示装置を備えた文章編集サーバと、を備え、前記クライアント端末と前記文章編集サーバとが通信回線を介して接続された文章編集システム。
【０１０５】
（２６）  前記文章編集サーバのトーン入力装置が、前記ユーザからのトーンの入力が、複数のテーマの中から、一のテーマを選択することにより行われ、この入力を受信する（２５）に記載の文章編集システム。
【０１０６】
（２７）  前記テーマの選択によりトーンが入力され、前記スタイル調整装置、前記ベクタ画像変換装置、及び前記ラスタ画像調整装置により前記文章ファイルが調整され、前記表示装置により、調整された文章ファイルが表示された後に、前記文章編集サーバのトーン入力装置が、さらにユーザからのトーンの入力を受信した場合には、再度、トーンの入力を受信する（２６）に記載の文章編集システム。
【０１０７】
（２８）  前記文章ファイルのスタイルとは、前記文章ファイルのレイアウト、色調、フォント、余白に関する設定である（２５）に記載の文章編集システム。
【０１０８】
（２９）  前記文章編集サーバのスタイル調整装置が、ＣＳＳ（Cascading  Style  Sheet）を調整する（２５）に記載の文章編集システム。
【０１０９】
（３０）  前記文章編集サーバのベクタ画像調整装置が、前記ベクタ画像として保存された特殊効果文字を、前記ユーザからのトーンの入力に応答して、調整する（２５）に記載の文章編集システム。
【０１１０】
（３１）  前記文章編集サーバのラスタ画像調整装置が、前記ユーザからのトーンの入力に応答して、前記ラスタ画像の色調を調整する（２５）に記載の文章編集システム。
【産業上の利用可能性】
【０１１１】
本発明は、個人、企業、団体において作成される文章ファイルとして、ホーム・ページ、Ｗｅｂページに対して適用可能であり、さらに、プレゼンテーション用の文章ファイル、レポート等の文章ファイルに対しても適用可能である。
【図面の簡単な説明】
【０１１２】
【図１】コンピュータ・システム１のハードウェア構成を示す図である。
【図２】本発明の実施例であるコンピュータ・システム１が実行する動作を示すフローチャート図である。
【図３】本発明の実施例であるコンピュータ・システム１が実行する動作を示すフローチャート図である。
【図４】本発明の実施例であるテーマを選択することによりトーンの調整を行なう場合の表示装置１５に表示される画面を示す。
【図５】本発明の実施例であるテーマを選択することによりトーンの調整を行なう場合の表示装置１５に表示される画面を示す。
【図６】本発明の実施例である、明るさのトーン調整を行なう場合の表示装置１５に表示される画面を示す。
【図７】本発明の実施例である、色調のトーン調整を行なう場合の表示装置１５に表示される画面を示す。
【図８】本発明の実施例である、フォントサイズのトーン調整を行なう場合の表示装置１５に表示される画面を示す。
【図９】本発明の実施例である、余白のトーン調整を行なう場合の表示装置１５に表示される画面を示す。
【図１０】コンピュータ・システム１のハードウェア構成を示す図である。
【図１１】文章編集システム１００の構成を示す図である。
【符号の説明】
【０１１３】
１    コンピュータ・システム
１０    パラメータ変換装置
１１    トーン入力装置
１２    スタイル調整装置
１３    ベクタ画像調整装置
１４    ラスタ画像調整装置
１５    表示装置
１００    文章編集システム
１０１    クライアント端末
１０２    通信回線ネットワーク
１０３    文章編集サーバ
【図１】
2006113910.tif 000003
【図２】
2006113910.tif 000004
【図３】
2006113910.tif 000005
【図４】
2006113910.tif 000006
【図５】
2006113910.tif 000007
【図６】
2006113910.tif 000008
【図７】
2006113910.tif 000009
【図８】
2006113910.tif 000010
【図９】
2006113910.tif 000011
【図１０】
2006113910.tif 000012
【図１１】
2006113910.tif 000013